(57)【要約】【課題】端子とコアとの間の耐圧性を十分に確保することが可能な構造のコイル部品を提供する。【解決手段】コイル部品１００は、互いに並列に配置されている一対の軸部と、一対の軸部の一端部どうしの間に亘って配置されている第１対向部（第１連結部１５）と、一対の軸部の他端部どうしの間に亘って配置されている第２対向部（第２連結部２５）と、を有するコア部（第１コア１０及び第２コア２０）と、絶縁材料により構成されていてコア部を支持しているケース部材３０と、一対の軸部に巻回されているコイル６０と、コイル６０と電気的に接続されている金属端子部材７０と、を備え、ケース部材３０は、コア部を収容している収容部３６と、コア部を間に挟んで互いに対向して配置されている一対の外壁部４０、５０とを有し、一対の外壁部４０、５０の各々に金属端子部材７０が設けられている。【選択図】図７
2020102610.tif 000002
【特許請求の範囲】
【請求項１】
互いに並列に配置されている一対の軸部と、前記一対の軸部の一端部どうしの間に亘って配置されている第１対向部と、前記一対の軸部の他端部どうしの間に亘って配置されている第２対向部と、を有するコア部と、
絶縁材料により構成されていて前記コア部を支持しているケース部材と、
前記一対の軸部に巻回されているコイルと、
前記コイルと電気的に接続されている金属端子部材と、
を備え、
前記第１対向部と前記第２対向部とは、前記一対の軸部を間に挟んで互いに対向して配置されており、
前記ケース部材は、
前記コア部を収容している収容部と、
前記コア部を間に挟んで互いに対向して配置されているとともにそれぞれ上下方向に起立している一対の外壁部と、
を有し、
前記一対の外壁部の各々に前記金属端子部材が設けられているコイル部品。
【請求項２】
前記一対の外壁部のうち一方の外壁部は、他方の外壁部の方を向いている第１対向面を有し、
前記他方の外壁部は、前記一方の外壁部の方を向いている第２対向面を有し、
前記一方の外壁部に設けられている前記金属端子部材の全体が、前記第１対向面よりも、前記他方の外壁部から離れた位置に配置されており、
前記他方の外壁部に設けられている前記金属端子部材の全体が、前記第２対向面よりも、前記一方の外壁部から離れた位置に配置されている請求項１に記載のコイル部品。
【請求項３】
前記コイルの一端部が、前記一対の外壁部のうち一方の外壁部に設けられた前記金属端子部材によって保持されており、
前記コイルの他端部が、前記一対の外壁部のうち他方の外壁部に設けられた前記金属端子部材によって保持されている請求項１又は２に記載のコイル部品。
【請求項４】
前記コイルは、前記コア部に対して非接触状態となっている請求項１から３のいずれか一項に記載のコイル部品。
【請求項５】
前記コイルは、前記ケース部材に対して非接触状態となっている請求項１から４のいずれか一項に記載のコイル部品。
【請求項６】
前記金属端子部材は、
前記外壁部に差し込み固定されている差込部と、
前記コイルの端部を導通状態で保持しているコイル端保持部と、
前記外壁部の下面に配置されている端子部と、
を有する請求項１から５のいずれか一項に記載のコイル部品。
【請求項７】
前記外壁部の前記下面には、当該外壁部の上面側に向けて窪んだ下面側凹部が形成されており、
前記下面側凹部に前記コイル端保持部が配置されている請求項６に記載のコイル部品。
【請求項８】
前記外壁部は、一対の下面側凹部と、これら下面側凹部どうしの間に配置されているとともに前記端子部が配置されている端子配置部と、を有し、
一方の前記軸部の配置領域と、他方の前記軸部の配置領域と、の並び方向に対して平行な方向において、前記一対の下面側凹部のうちの一方の下面側凹部と、前記端子配置部と、前記一対の下面側凹部のうちの他方の下面側凹部と、がこの順に並んで配置されている請求項７に記載のコイル部品。
【請求項９】
前記ケース部材は、前記第１対向部を保持するコア保持部を有し、
前記一対の外壁部の各々は、前記コア保持部から下方に突出している請求項１から８のいずれか一項に記載のコイル部品。
【請求項１０】
前記コア保持部に対して前記第１対向部が圧入固定されている請求項９に記載のコイル部品。
【請求項１１】
当該コイル部品は、前記コイルとして、一方の前記軸部に巻回されている第１コイルと、他方の前記軸部に巻回されている第２コイルと、を備えており、
前記ケース部材は、前記一方の軸部及び前記第１コイルの配置領域と、前記他方の軸部及び前記第２コイルの配置領域と、を相互に仕切る仕切壁部を更に有する請求項１から１０のいずれか一項に記載のコイル部品。
【請求項１２】
前記第１対向部に形成されている凹部又は凸部と、前記ケース部材に形成されている凸部又は凹部と、が嵌合しているとともに、
前記第２対向部に形成されている凹部又は凸部と、前記ケース部材に形成されている凸部又は凹部と、が嵌合している請求項１から１１のいずれか一項に記載のコイル部品。
【請求項１３】
前記コア部は、
互いに並列に配置されている一対の第１軸部と、前記第１対向部と、を有する第１コアと、
互いに並列に配置されている一対の第２軸部と、前記第２対向部と、を有する第２コアと、
を含み、
前記第１対向部は、前記一対の第１軸部どうしを連結しており、
前記第２対向部は、前記一対の第２軸部どうしを連結しており、
前記一対の第１軸部のうち一方の第１軸部と、前記一対の第２軸部のうち一方の第２軸部と、が互いに同軸に配置されて、一方の前記軸部を構成しており、
前記一対の第１軸部のうち他方の第１軸部と、前記一対の第２軸部のうち他方の第２軸部と、が互いに同軸に配置されて、他方の前記軸部を構成している請求項１から１２のいずれか一項に記載のコイル部品。
【発明の詳細な説明】
【技術分野】
【０００１】
本発明は、コイル部品に関する。
【背景技術】
【０００２】
従来のコイル部品としては、例えば、特許文献１に記載のコモンモードチョークコイルがある。
特許文献１のコイル部品は、同軸上に配置された２つのボビンと、各ボビンに巻回されているコイルと、各ボビンに一辺が挿通されている一対のコアと、これらコアを支持しているベースと、ベースの裏面から突出しているピン状の端子と、を備えて構成されている。
【先行技術文献】
【特許文献】
【０００３】
【特許文献１】特開平８−２１３２４２号公報
【発明の概要】
【発明が解決しようとする課題】
【０００４】
本願発明者等の検討によれば、特許文献１のコイル部品の構造では、端子とコアとの間の耐圧性について、改善の余地がある。
【０００５】
本発明は、上記の課題に鑑みてなされたものであり、端子とコアとの間の耐圧性を十分に確保することが可能な構造のコイル部品を提供するものである。
【課題を解決するための手段】
【０００６】
本発明によれば、互いに並列に配置されている一対の軸部と、前記一対の軸部の一端部どうしの間に亘って配置されている第１対向部と、前記一対の軸部の他端部どうしの間に亘って配置されている第２対向部と、を有するコア部と、
絶縁材料により構成されていて前記コア部を支持しているケース部材と、
前記一対の軸部に巻回されているコイルと、
前記コイルと電気的に接続されている金属端子部材と、
を備え、
前記第１対向部と前記第２対向部とは、前記一対の軸部を間に挟んで互いに対向して配置されており、
前記ケース部材は、
前記コア部を収容している収容部と、
前記コア部を間に挟んで互いに対向して配置されているとともにそれぞれ上下方向に起立している一対の外壁部と、
を有し、
前記一対の外壁部の各々に前記金属端子部材が設けられているコイル部品が提供される。
【発明の効果】
【０００７】
本発明によれば、端子（金属端子部材）とコア部との間の耐圧性を十分に確保することができる。
【図面の簡単な説明】
【０００８】
【図１】実施形態に係るコイル部品の斜視図である。
【図２】実施形態に係るコイル部品の平面図である。
【図３】図２のＡ−Ａ線に沿った断面図である。
【図４】図２のＢ−Ｂ線に沿った断面図である。
【図５】図２のＣ−Ｃ線に沿った断面図である。
【図６】実施形態に係るコイル部品の底面図である（ただし、第２コアの図示を省略している）。
【図７】実施形態に係るコイル部品の分解斜視図である。
【図８】実施形態に係るコイル部品のケース部材と金属端子部材を下面側から視た分解斜視図である。
【図９】実施形態に係るコイル部品を底面側から視た分解斜視図である。
【図１０】図１０（ａ）は変形例に係るコイル部品の平面図であり、図１０（ｂ）は変形例に係るコイル部品の底面図である。
【図１１】図１１（ａ）は変形例に係るコイル部品を上面側から視た分解斜視図であり、図１１（ｂ）は変形例に係るコイル部品を下面側から視た分解斜視図である。
【発明を実施するための形態】
【０００９】
以下、本発明の実施形態について、図１から図９を用いて説明する。なお、すべての図面において、同様の構成要素には同一の符号を付し、適宜に説明を省略する。
【００１０】
図７に示すように、本実施形態に係るコイル部品１００は、互いに並列に配置されている一対の軸部と、一対の軸部の一端部どうしの間に亘って配置されている第１対向部（第１連結部１５）と、一対の軸部の他端部どうしの間に亘って配置されている第２対向部（第２連結部２５）と、を有するコア部と、絶縁材料により構成されていてコア部を支持しているケース部材３０と、一対の軸部に巻回されているコイル６０と、コイル６０と電気的に接続されている金属端子部材７０と、を備えている。
図３に示すように、第１対向部と第２対向部とは、一対の軸部を間に挟んで互いに対向して配置されている。
ケース部材３０は、コア部を収容している収容部３６と、コア部を間に挟んで互いに対向して配置されているとともにそれぞれ上下方向に起立している一対の外壁部４０、５０と、を有する。
そして、一対の外壁部４０、５０の各々に金属端子部材７０が設けられている。
【００１１】
本実施形態によれば、コイル部品１００は、コイル６０と電気的に接続されている金属端子部材７０が、絶縁材料により構成されているケース部材３０の外壁部４０、５０の各々に設けられた構造となっている。このため、コイル部品１００の端子（金属端子部材７０）とコア部との間の耐圧性を十分に確保することができる。つまり、端子とコア部との絶縁距離を確保することができる。
【００１２】
本実施形態の場合、コア部は、第１コア１０と第２コア２０とを含んで構成されている。すなわち、コア部は、互いに並列に配置されている一対の第１軸部１１、１２と、第１対向部（第１連結部１５）と、を有する第１コア１０と、互いに並列に配置されている一対の第２軸部２１、２２と、第２対向部（第２連結部２５）と、を有する第２コア２０と、を含む。
第１対向部（第１連結部１５）は、一対の第１軸部１１、１２どうしを連結している。
第２対向部（第２連結部２５）は、一対の第２軸部２１、２２どうしを連結している。
図３及び図７に示すように、一対の第１軸部１１、１２のうち一方の第１軸部１１と、一対の第２軸部２１、２２のうち一方の第２軸部２１と、が互いに同軸に配置されて、一方の軸部を構成している。同様に、一対の第１軸部１１、１２のうち他方の第１軸部１２と、一対の第２軸部２１、２２のうち他方の第２軸部２２と、が互いに同軸に配置されて、他方の軸部を構成している。
つまり、本実施形態の場合、コア部は、２つのＵコア（第１コア１０及び第２コア２０）を相互に組み合わせることにより構成されている。
すなわち、本実施形態に係るコイル部品１００は、互いに並列に配置されている一対の第１軸部１１、１２と一対の第１軸部１１、１２どうしを連結している第１連結部１５とを有する第１コア１０と、互いに並列に配置されている一対の第２軸部２１、２２と一対の第２軸部２１、２２どうしを連結している第２連結部２５とを有する第２コア２０と、絶縁材料により構成されていて第１コア１０と第２コア２０とを支持しているケース部材３０と、第１軸部１１、１２と第２軸部２１、２２とに巻回されているコイル６０と、コイル６０と電気的に接続されている金属端子部材７０と、を備えている。
図３に示すように、第１連結部１５と第２連結部２５とは、一対の第１軸部１１、１２と一対の第２軸部２１、２２とを間に挟んで互いに対向して配置されている。一対の第１軸部１１、１２のうち一方の第１軸部１１と、一対の第２軸部２１、２２のうち一方の第２軸部２１と、が互いに同軸に配置されている。一対の第１軸部１１、１２のうち他方の第１軸部１２と、一対の第２軸部２１、２２のうち他方の第２軸部２２と、が互いに同軸に配置されている。
ケース部材３０は、第１コア１０と第２コア２０とを収容している収容部３６と、第１コア１０及び第２コア２０を間に挟んで互いに対向して配置されているとともに、上下方向に起立している一対の外壁部４０、５０と、を有する。
そして、一対の外壁部４０、５０の各々に金属端子部材７０が設けられている。
【００１３】
第１コア１０は、磁性材料によって、当該第１コア１０の全体が一体形成されている。
図７及び図９に示すように、第１コア１０の第１連結部１５は、盤状に形成されている。第１連結部１５の一方の面１６（図７）と他方の面１７（図９）は、それぞれ平坦に形成されており、互いに平行となっている。第１連結部１５の平面形状は、特に限定されないが、例えば、長円形状、楕円形状、又は、角丸の長方形状である（図２参照）。
第１軸部１１、１２は、それぞれ例えば長円柱形状、楕円柱形状、又は、角丸の角柱形状に形成されている。第１軸部１１、１２は、第１連結部１５の他方の面１７において互いに離間した位置からそれぞれ突出している。第１軸部１１、１２の軸方向は、互いに平行に配置されているとともに、第１連結部１５の板面に対して直交している。他方の面１７からの第１軸部１１、１２の突出長（軸方向における第１軸部１１、１２の長さ）は、互いに等しい。また、図３に示すように、第１連結部１５の一方の面１６と他方の面１７との距離は、第１軸部１１、１２のＹ方向における幅（楕円の短径）よりも小さく形成されている。また、第１連結部１５の長径の延伸方向と、第１軸部１１、１２の長径の延伸方向とは、互いに直交している。
図９及び図３に示すように、一方の第１軸部１１の先端面１３と、他方の第１軸部１２の先端面１４とは、例えば、それぞれ平坦に形成されているとともに、互いに同一平面上に配置されている。先端面１３、１４は、Ｚ方向に対して直交している。
【００１４】
以下の説明では、第１軸部１１、１２の軸方向を、上下方向又はＺ方向と称することがある。
第１連結部１５の一方の面１６は上向きとなっており、他方の面１７は下向きとなっている。第１軸部１１、１２は第１連結部１５から下方に突出している。
第１軸部１１と第１軸部１２との並び方向を、Ｙ方向と称することがある。Ｚ方向とＹ方向とは互いに直交している。
また、Ｚ方向及びＹ方向に対して直交する方向をＸ方向と称する。
【００１５】
第２コア２０は、第１コア１０と同様の材料によって、第１コア１０と同様の形状に形成されている。すなわち、第２コア２０は、第１連結部１５と同様の第２連結部２５と、第１軸部１１、１２と同様の第２軸部２１、２２と、先端面１３、１４と同様の先端面２３、２４と、を有する。
第２コア２０は、第１コア１０とは上下反転した姿勢で配置されている。すなわち、第２連結部２５の一方の面２６（図９）は下向きとなっており、第２連結部２５の他方の面２７（図７）は上向きとなっている。第２軸部２１、２２は、他方の面２７から上方に突出している。
【００１６】
図３に示すように、一方の第１軸部１１の先端面１３と、一方の第２軸部２１の先端面２３とは、互いに面接触しているか、又は、互いに平行に近接している。
同様に、他方の第１軸部１２の先端面１４と、他方の第２軸部２２の先端面２４とは、互いに面接触しているか、又は、互いに平行に近接している。
先端面１３と先端面２３とは、例えば、接着剤により相互に接着固定されている。同様に、先端面１４と先端面２４とは、例えば、接着剤により相互に接着固定されている。
【００１７】
コイル部品１００の平面形状は、特に限定されないが、例えば、図２に示すように、矩形状（例えば角丸の正方形状）とすることができる。
図１に示すように、コイル部品１００は、例えば、略直方体形状に形成されている。
【００１８】
ケース部材３０は、樹脂等の絶縁材料により構成されている。ケース部材３０は、例えば、その全体が一体形成されている。
ケース部材３０は、平坦な上面３７と、Ｙ方向におけるケース部材３０の一方の外面である前面３８（図２、図７、図８）と、Ｙ方向におけるケース部材３０の他方の外面である背面３９（図２、図９）と、を有する。
上面３７は、Ｚ方向におけるケース部材３０の一方の外面である。上面３７の外形線は、矩形状（例えば角丸の正方形状）となっている（図２）。
前面３８及び背面３９は、下方に開放しているＵ字形状、すなわち逆Ｕ字形状に形成されている。前面３８と背面３９とは互いに平行に配置されている。前面３８及び背面３９の各々は、上面３７に対して直交している。
【００１９】
更に、ケース部材３０は、Ｘ方向における一対の外面である第１外側面４２及び第２外側面５２を有する。
第１外側面４２はＸ方向における一方の外壁部４０の外面であり、第２外側面５２はＸ方向における他方の外壁部５０の外面である。
第１外側面４２と第２外側面５２とは互いに平行に配置されている。
第１外側面４２及び第２外側面５２は、前面３８及び背面３９に対して直交しているとともに、上面３７に対しても直交している。
【００２０】
更に、ケース部材３０は、Ｚ方向に終えるケース部材３０の他方の外面である下面を有する。ケース部材３０の下面は、一方の外壁部４０の下面４３（図３、図８）と他方の外壁部５０の下面５３（図８）との集合体である。
ケース部材３０の下面（下面４３及び下面５３）は、上面３７に対して平行に配置されている。
【００２１】
ここで、図７及び図８に示すように、ケース部材３０は、第１コア１０の第１連結部１５（第１対向部）を保持するコア保持部３１を有する。一対の外壁部４０、５０の各々は、コア保持部３１から下方に突出している。
外壁部４０、５０の各々は、例えば、Ｙ方向に長尺な略直方体形状に形成されている。
外壁部４０、５０の各々の下面４３、５３は、好ましくは、第１コア１０の第１軸部１１、１２の先端面１３、１４よりも下方に位置しており、より好ましくは、コイル６０の巻回部６３（後述）の下端よりも下方に位置しており、一層好ましくは、コイル６０の下端よりも下方に位置しており、特に好ましくは、第２コア２０の第２連結部２５の一方の面２６よりも下方に位置している。
【００２２】
図７に示すように、コア保持部３１は、上下方向に対して直交する盤状に形成されており、コア保持部３１の中央部には、当該コア保持部３１を上下に貫通する開口３２が形成されている。
開口３２の形状は、例えば、第１連結部１５と対応する形状に形成されており、第１連結部１５よりも一回り大きく形成されている（図２）。
【００２３】
開口３２の内周面の複数箇所には、開口３２の内方に向けて突出している突起部３３が形成されている。例えば、突起部３３は、開口３２の４隅にそれぞれ配置されている。
開口３２の内周面は、例えば、上下方向（図７に示すＺ方向）に対して平行となっている。
一方、突起部３３は、下方に向かって、開口３２の内周面からの突出量が増大している。
より詳細には、突起部３３は、例えば、三角錐台形状となっており、下方に向かって平断面積が増大している。
突起部３３は、例えば、開口３２の上端から下端に亘って形成されている。
【００２４】
第１コア１０の第１連結部１５がケース部材３０の上側から開口３２に押し込まれることによって、コア保持部３１に対して第１連結部１５（第１対向部）が圧入固定されている。
すなわち、各突起部３３の１つずつの斜辺に対して第１連結部１５の外周面１８が圧接された状態で、第１連結部１５がコア保持部３１に固定されている（図５参照）。
【００２５】
こうして、第１コア１０はケース部材３０によって支持されている。
また、上記のように、第２コア２０は第１コア１０に対して接着固定されている。第２コア２０は、第１コア１０を介して、ケース部材３０によって間接的に支持されている。
【００２６】
図５の例では、第１連結部１５の厚み寸法が、開口３２の上下寸法よりも大きく、第１連結部１５の一方の面１６は、上面３７よりも上方に位置しているとともに、第１連結部１５の他方の面１７は、コア保持部３１の下面よりも下方に位置している。つまり、第１コア１０の第１連結部１５がケース部材３０の上面３７よりも上方に僅かに突出している。
ただし、開口３２の上下寸法（コア保持部３１の厚み寸法）と第１連結部１５の厚み寸法との関係は、特に限定されない。例えば、一方の面１６と上面３７とが互いに面一に配置されていてもよいし、一方の面１６が上面３７よりも下方に配置されていてもよい。
また、他方の面１７はコア保持部３１の下面と面一に配置されていてもよいし、コア保持部３１の下面よりも上方に配置されていてもよい。
【００２７】
ここで、ケース部材３０の内部において、一方の外壁部４０と他方の外壁部５０との間の空間、及び、開口３２内の空間は、第１コア１０と第２コア２０とを収容している収容部３６である。
【００２８】
図７に示すように、コイル部品１００は、コイル６０として、第１コイル６１と第２コイル６２とを備えている。
第１コイル６１は、金属材料により構成された金属ワイヤを用いて構成されている。
第１コイル６１は、金属ワイヤを螺線状に巻回することにより形成された巻回部６３と、それぞれ巻回部６３から突出している一端部６４及び他端部６５と、を有する。
一端部６４は、巻回部６３の軸方向における一端部から接線方向に突出している。第１コイル６１における他端部６５側の部分は、巻回部６３の軸方向における他端部から接線方向に突出し、更に、当該軸方向における一端側に折り返され、更に、他端部６５は、当該軸方向における一端部から接線方向に突出している。巻回部６３からの一端部６４の突出方向と、巻回部６３からの他端部６５の突出方向とは、互いに略反対方向となっている。一端部６４と他端部６５とは、互いに略同一直線上に配置されている。一端部６４及び他端部６５は、それぞれＸ方向に沿って延在している。
第２コイル６２も第１コイル６１と同様の形状に形成されており、巻回部６３、一端部６４及び他端部６５を有する。
本実施形態の場合、図７及び図９に示すように、第１コイル６１と第２コイル６２とはＹ方向において互いに対称形状（鏡面対称形状）に形成されている。
第１コイル６１及び第２コイル６２を構成する金属ワイヤは、外周面に樹脂被膜が塗布形成されていることが好ましい。
一端部６４及び他端部６５の各々の少なくとも一部分においては、樹脂被膜から金属ワイヤの金属材料が露出しており、一端部６４及び他端部６５がそれぞれ金属端子部材７０（詳細後述）に対して例えば半田付けされることによって電気的に接続されている。
【００２９】
図３に示すように、第１コイル６１の巻回部６３には、一方の第１軸部１１及び一方の第２軸部２１が挿通されている。同様に、第２コイル６２の巻回部６３には、他方の第１軸部１２及び他方の第２軸部２２が挿通されている。
すなわち、コイル部品１００は、コイル６０として、一方の軸部に巻回されている第１コイル６１と、他方の軸部に巻回されている第２コイル６２と、を備えている。
更に、ケース部材３０は、一方の軸部及び第１コイル６１（の巻回部６３）の配置領域と、他方の軸部及び第２コイル６２（の巻回部６３）の配置領域と、を相互に仕切る仕切壁部３４（図３、図６、図７、図８、図９参照）を有する。
換言すれば、コイル部品１００は、コイル６０として、一方の第１軸部１１と一方の第２軸部２１とに巻回されている第１コイル６１と、他方の第１軸部１２と他方の第２軸部２２とに巻回されている第２コイル６２と、を備えており、ケース部材３０は、一方の第１軸部１１、一方の第２軸部２１及び第１コイル６１（の巻回部６３）の配置領域と、他方の第１軸部１２、他方の第２軸部２２及び第２コイル６２（の巻回部６３）の配置領域と、を相互に仕切る仕切壁部３４（図３、図６、図７、図８、図９参照）を有する。
【００３０】
仕切壁部３４は、一方の外壁部４０から他方の外壁部５０に亘って架設されている。このため、ケース部材３０が仕切壁部３４によって補強されており、ケース部材３０の構造的強度が高められている。
仕切壁部３４は、例えば、コア保持部３１よりも下方に配置されている。ただし、仕切壁部３４の上面の高さ位置は、コア保持部３１の下面の高さ位置と等しくてもよい。
仕切壁部３４において、一方の第１軸部１１、一方の第２軸部２１及び第１コイル６１（の巻回部６３）の配置領域の方を向いている面は、第１コイル６１の巻回部６３に沿った凹曲面３５となっている。
同様に、仕切壁部３４において、他方の第１軸部１２、他方の第２軸部２２及び第２コイル６２（の巻回部６３）の配置領域の方を向いている面は、第２コイル６２の巻回部６３に沿った凹曲面３５となっている。
【００３１】
仕切壁部３４の上面及び下面の各々は、Ｚ方向に対して直交する平坦な面となっている。
第１コア１０の第１連結部１５の他方の面１７は、仕切壁部３４の上面に対して平行となっているとともに、当該上面に対して当接又は近接している（図３参照）。
第２コア２０の第２連結部２５の他方の面２７は、仕切壁部３４の下面に対して平行になっている。他方の面２７は、仕切壁部３４の下面に対して当接又は近接していてもよいが、図３の例では、他方の面２７は、所定の空間距離を隔てて、仕切壁部３４の下面よりも下方に配置されている。
【００３２】
図７及び図８に示すように、コイル部品１００は、金属端子部材７０として、例えば、第１コイル６１の一端部６４と電気的に接続されている金属端子部材７１と、第２コイル６２の一端部６４と電気的に接続されている金属端子部材７２と、第１コイル６１の他端部６５と電気的に接続されている金属端子部材７３と、第２コイル６２の他端部６５と電気的に接続されている金属端子部材７４と、を備えている。
このうち２つの金属端子部材７１、７２は一方の外壁部４０に設けられており、他の２つの金属端子部材７３、７４は他方の外壁部５０に設けられている。
金属端子部材７１と金属端子部材７２とはＹ方向において並んで配置されており、金属端子部材７３と金属端子部材７４とはＹ方向において並んで配置されており、金属端子部材７１と金属端子部材７３とはＸ方向において並んで配置されており、金属端子部材７２と金属端子部材７４とはＸ方向において並んで配置されている。
【００３３】
一対の外壁部４０、５０のうち一方の外壁部４０は、他方の外壁部５０の方を向いている第１対向面４１（図６、図８）を有する。他方の外壁部５０は、一方の外壁部４０の方を向いている第２対向面５１（図６、図７、図９）を有する。
図６に示すように、一方の外壁部４０に設けられている金属端子部材７０（金属端子部材７１、７２）の全体が、第１対向面４１よりも、他方の外壁部５０から離れた位置に配置されている（図９も参照）。
同様に、図６及び図９に示すように、他方の外壁部５０に設けられている金属端子部材７０（金属端子部材７３、７４）の全体が、第２対向面５１よりも、一方の外壁部４０から離れた位置に配置されている。
これにより、金属端子部材７０とコア（第１コア１０、第２コア２０）との間にケース部材３０の一部分が介在している構成を実現できるため、端子（各金属端子部材７０）とコア（第１コア１０、第２コア２０）との間の耐圧性をより十分に確保することができる。
【００３４】
図６及び図９に示すように、コイル６０の一端部６４が、一対の外壁部４０、５０のうち一方の外壁部４０に設けられた金属端子部材７０によって保持されている。つまり、第１コイル６１の一端部６４が金属端子部材７１によって保持されており、第２コイル６２の一端部６４が金属端子部材７２によって保持されている。
また、コイル６０の他端部６５が、一対の外壁部４０、５０のうち他方の外壁部５０に設けられた金属端子部材７０によって保持されている。つまり、第１コイル６１の他端部６５が金属端子部材７３によって保持されており、第２コイル６２の他端部６５が金属端子部材７４によって保持されている。
これにより、コイル６０が一対の外壁部４０、５０間に架設された構造が実現されている。
【００３５】
コイル６０は、コア部に対して非接触となっている。すなわち、コイル６０は、第１コア１０及び第２コア２０のいずれに対しても非接触状態となっている。つまり、第１コイル６１及び第２コイル６２の各々が、第１コア１０及び第２コア２０のいずれに対しても非接触状態となっている。
これにより、コイル６０とコア（第１コア１０、第２コア２０）との間の耐圧性を十分に確保することができ、ひいては、端子（金属端子部材７０）とコア（第１コア１０、第２コア２０）との間の耐圧性をより十分に確保することができる。
図３に示すように、第１コア１０の一方の第１軸部１１の外周面及び第２コア２０の一方の第２軸部２１の外周面と、第１コイル６１の巻回部６３の内周との間には、間隙８１が存在している。
同様に、第１コア１０の他方の第１軸部１２の外周面及び第２コア２０の他方の第２軸部２２の外周面と、第２コイル６２の巻回部６３の内周との間には、間隙８１が存在している。
【００３６】
より詳細には、コイル６０は、ケース部材３０に対して非接触状態となっている。つまり、ケース部材３０に設けられた金属端子部材７０によってコイル６０の両端が保持されており、コイル６０は金属端子部材７０間に架設されている。
【００３７】
図８に示すように、金属端子部材７０は、外壁部４０、５０に差し込み固定されている差込部７５と、コイル６０の端部（一端部６４、他端部６５）を導通状態で保持しているコイル端保持部７６（図９参照）と、外壁部４０、５０の下面４３、５３に配置されている端子部７７（図９参照）と、を有する。
このため、差込部７５を差し込み固定によって容易に外壁部４０、５０に固定することができ、コイル端保持部７６によってコイル６０の端部を導通状態で保持することができ、外壁部４０、５０の下面４３、５３に配置されている端子部７７を用いてコイル部品１００を基板等に実装することができる。
【００３８】
金属端子部材７０は、例えば、金属板を折り曲げることにより構成されている。
端子部７７は、例えば、平板状に形成されている。端子部７７の形状は、特に限定されないが、例えば、矩形状に形成されている。金属端子部材７１の端子部７７、及び、金属端子部材７２の端子部７７は、外壁部４０の端子配置部４５における下面４３に沿って設けられている。
金属端子部材７３の端子部７７、及び、金属端子部材７４の端子部７７は、他方の外壁部５０の端子配置部５５における下面５３に沿って設けられている。
差込部７５は、例えば、平板状に形成されている。差込部７５の形状は、特に限定されないが、例えば、先端側が二股に分岐した形状、すなわちＵ字形状に形成されている。差込部７５は、例えば、端子部７７に対して直角に折り曲げられており、端子部７７の一辺（以下、第１辺と称する）から上方に向けて起立している。
コイル端保持部７６は、端子部７７の上記第１辺に隣接する第２辺から突出している。コイル端保持部７６は、上に凸の屈曲形状（Ω字状）に折り曲げられている。また、コイル端保持部７６において端子部７７からの突出方向における先端側の部分は二股に分岐しており、当該部分の曲げ変形性が良好とされている。
コイル６０の一端部６４又は他端部６５がコイル端保持部７６の屈曲形状の部分の内部に差し込まれた状態で、コイル端保持部７６がかしめられることによって、コイル６０の一端部６４又は他端部６５がコイル端保持部７６によって保持されている。
金属端子部材７０の各部のうち、端子部７７が最も下に位置している。
【００３９】
一方の外壁部４０の端子配置部４５には、一対の差込孔４９が形成されている。一対の差込孔４９の各々は、下面４３に開口端を有する。これら差込孔４９はＹ方向において並んで配置されている。差込孔４９は、Ｙ方向及びＺ方向における寸法が相対的に大きく、Ｘ方向における寸法が相対的に小さく形成されている。一方の差込孔４９には金属端子部材７１の差込部７５が差し込み固定されている。他方の差込孔４９には金属端子部材７２の差込部７５が差し込み固定されている。
同様に、他方の外壁部５０の端子配置部５５には、一対の差込孔５９が形成されている。一対の差込孔５９の各々は、下面５３に開口端を有する。これら差込孔５９はＹ方向において並んで配置されている。差込孔５９は、Ｙ方向及びＺ方向における寸法が相対的に大きく、Ｘ方向における寸法が相対的に小さく形成されている。一方の差込孔５９には金属端子部材７３の差込部７５が差し込み固定されている。他方の差込孔５９には金属端子部材７４の差込部７５が差し込み固定されている。
ここで、図４に示すように、差込孔５９はＵ字形状の差込部７５と対応するＵ字形状に形成されており、差込部７５が差込孔５９の内面に対して良好な密着性で圧入されている。
同様に、図示は省略するが、差込孔４９も差込部７５と対応するＵ字形状に形成されており、差込部７５が差込孔４９の内面に対して良好な密着性で圧入されている。
また、金属端子部材７０をケース部材３０に圧入する例以外に、例えば、インサート成形技術など様々な技術を用いて、両者を一体化しても良い。
【００４０】
金属端子部材７０は、更に、対向部７８を有する。対向部７８は、例えば、平板状に形成されている。対向部７８の形状は、特に限定されないが、例えば、矩形状に形成されている。対向部７８は、端子部７７の上記第１辺に対して対向している第３辺（第２辺に対して隣接している辺）から上方に向けて起立している。このため、対向部７８は、差込部７５に対して平行に対向している。
金属端子部材７１の対向部７８、及び、金属端子部材７２の対向部７８は、外壁部４０の第１外側面４２において下面４３と隣接する部位に沿って配置されている。より詳細には、第１外側面４２において下面４３と隣接する部位には、一対の浅い凹部４７（図７）が形成されている。一対の凹部４７は、Ｙ方向において並んで配置されている。一方の凹部４７には、金属端子部材７１の対向部７８が配置されており、他方の凹部４７には、金属端子部材７２の対向部７８が配置されている。
金属端子部材７３の対向部７８、及び、金属端子部材７４の対向部７８は、他方の外壁部５０の第２外側面５２において下面５３と隣接する部位に沿って配置されている。より詳細には、第２外側面５２において下面５３と隣接する部位には、一対の浅い凹部５７（図８）が形成されている。一対の凹部５７は、Ｙ方向において並んで配置されている。一方の凹部５７には、金属端子部材７３の対向部７８が配置されており、他方の凹部５７には、金属端子部材７４の対向部７８が配置されている。
【００４１】
ここで、端子配置部４５には、例えば、下面４３から第１外側面４２に亘って仕切段部４６が形成されている。仕切段部４６は、下面４３においては、他部よりも下方に向けて一段高く形成されている。仕切段部４６は、第１外側面４２においては、当該第１外側面４２における凹部４７以外の部分と面一に形成されている（つまり凹部４７よりも一段高く形成されている）。仕切段部４６によって、金属端子部材７１の配置領域と金属端子部材７２の配置領域とが相互に仕切られている（図９参照）。
同様に、端子配置部５５には、例えば、下面５３から第２外側面５２に亘って仕切段部５６が形成されている。仕切段部５６は、下面５３においては、他部よりも下方に向けて一段高く形成されている。仕切段部５６は、第２外側面５２においては、当該第２外側面５２における凹部５７以外の部分と面一に形成されている（つまり凹部５７よりも一段高く形成されている）。仕切段部５６によって、金属端子部材７３の配置領域と金属端子部材７４の配置領域とが相互に仕切られている。
【００４２】
各凹部４７と下面４３との間には、それぞれ傾斜面４８が形成されている。同様に、各凹部５７と下面５３との間には、それぞれ傾斜面５８が形成されている。
このため、凹部４７から下面４３に沿わせて金属端子部材７０の対向部７８及び端子部７７を容易に配置することができるとともに、凹部５７から下面５３に沿わせて金属端子部材７０の対向部７８及び端子部７７を容易に配置することができる。
傾斜面５８の傾斜角度は、例えば、４５度よりも大きい。つまり、下面５３と傾斜面５８とのなす角度が、凹部５７と傾斜面５８とのなす角度よりも大きい。同様に、傾斜面４８の傾斜角度は、例えば、４５度よりも大きい。
【００４３】
外壁部４０、５０の下面４３、５３には、当該外壁部４０、５０の上面側に向けて窪んだ下面側凹部４４、５４が形成されている。下面側凹部４４、５４にコイル端保持部７６が配置されている。
このため、コイル部品１００を基板等に実装した際において、コイル端保持部７６と基板等との干渉を抑制することができる。
より詳細には、コイル端保持部７６の下端位置が、下面４３、５３よりも上方に位置している（図４参照）。このため、コイル端保持部７６と基板等との干渉をより確実に抑制することができる。
【００４４】
図８に示すように、外壁部４０は、一対の下面側凹部４４と、これら下面側凹部４４どうしの間に配置されているとともに端子部７７（図９参照）が配置されている端子配置部４５と、を有する。
一方の軸部の配置領域と、他方の軸部の配置領域と、の並び方向に対して平行な方向（図９に示すＹ方向）において、一対の下面側凹部４４のうちの一方の下面側凹部４４と、端子配置部４５と、一対の下面側凹部４４のうちの他方の下面側凹部４４と、がこの順に並んで配置されている。すなわち、一方の第１軸部１１及び一方の第２軸部２１の配置領域と、他方の第１軸部１２及び他方の第２軸部２２の配置領域と、の並び方向に対して平行な方向（図９に示すＹ方向）において、一対の下面側凹部４４のうちの一方の下面側凹部４４と、端子配置部４５と、一対の下面側凹部４４のうちの他方の下面側凹部４４と、がこの順に並んで配置されている。
同様に、外壁部５０は、一対の下面側凹部５４と、これら下面側凹部５４どうしの間に配置されているとともに端子部７７（図９参照）が配置されている端子配置部５５と、を有する。
一方の軸部の配置領域と、他方の軸部の配置領域と、の並び方向に対して平行な方向（図９に示すＹ方向）において、一対の下面側凹部５４のうちの一方の下面側凹部５４と、端子配置部５５と、一対の下面側凹部５４のうちの他方の下面側凹部５４と、がこの順に並んで配置されている。すなわち  一方の第１軸部１１及び一方の第２軸部２１の配置領域と、他方の第１軸部１２及び他方の第２軸部２２の配置領域と、の並び方向に対して平行な方向（図９に示すＹ方向）において、一対の下面側凹部５４のうちの一方の下面側凹部５４と、端子配置部５５と、一対の下面側凹部５４のうちの他方の下面側凹部５４と、がこの順に並んで配置されている。
【００４５】
一方の下面側凹部４４に金属端子部材７１のコイル端保持部７６が配置されており、他方の下面側凹部４４に金属端子部材７２のコイル端保持部７６が配置されている。
一方の下面側凹部５４に金属端子部材７３のコイル端保持部７６が配置されており、他方の下面側凹部５４に金属端子部材７４のコイル端保持部７６が配置されている。
【００４６】
より詳細には、一方の第１軸部１１及び一方の第２軸部２１の配置領域と、他方の第１軸部１２及び他方の第２軸部２２の配置領域と、の並び方向に対して平行な方向（図９に示すＹ方向）において、一対の下面側凹部４４は一方の外壁部４０における端部に配置されている。そして、各下面側凹部４４は、Ｙ方向において端子配置部４５側とは反対側に開放しており、下方向にも開放しており、更に、上下方向とＹ方向とに対して直交するＸ方向における両側にも開放している。
同様に、一対の下面側凹部５４は、Ｙ方向において、他方の外壁部５０における端部に配置されている。そして、各下面側凹部５４は、Ｙ方向において端子配置部５５側とは反対側に開放しており、下方向にも開放しており、更に、上下方向とＹ方向とに対して直交するＸ方向における両側にも開放している。
このため、コイル端保持部７６にコイル６０の端部（一端部６４、他端部６５）を接続する作業を容易に行うことができる。
各下面側凹部４４及び各下面側凹部５４は、例えば、略直方体形状の凹部である。
【００４７】
なお、コイル部品１００は、ボビンは備えておらず、第１コア１０の一方の第１軸部１１と第２コア２０の一方の第２軸部２１の周囲には、これら第１軸部１１及び第２軸部２１に対して非接触の状態で第１コイル６１の巻回部６３が巻回されている。
【００４８】
コイル部品１００の組み立ては、例えば、以下のようにして行うことができる。
先ず、各金属端子部材７０の差込部７５を、それぞれ対応する差込孔４９又は５９に差し込んで圧入固定することによって、各金属端子部材７０をケース部材３０に取り付ける。なお、金属端子部材７０は接着剤を用いてケース部材３０に取り付けてもよい。
次に、予め図７に示すように巻回部６３、一端部６４及び他端部６５を有する形状に形成された第１コイル６１及び第２コイル６２を、対応する金属端子部材７０のコイル端保持部７６にかしめ固定する。すなわち、第１コイル６１の一端部６４は金属端子部材７１のコイル端保持部７６にかしめ固定し、第１コイル６１の他端部６５は金属端子部材７３のコイル端保持部７６にかしめ固定する。また、第２コイル６２の一端部６４は金属端子部材７２のコイル端保持部７６にかしめ固定し、第２コイル６２の他端部６５は金属端子部材７４のコイル端保持部７６にかしめ固定する。第１コイル６１の巻回部６３と第２コイル６２の巻回部６３は収容部３６内に配置され、且つ、第１コイル６１の巻回部６３と第２コイル６２の巻回部６３とは仕切壁部３４によって互いに隔てられた状態となる。
次に、ケース部材３０の上側から、第１コア１０の第１軸部１１を第１コイル６１の巻回部６３に差し込むとともに、第１軸部１２を第２コイル６２の巻回部６３に差し込み、第１コア１０の第１連結部１５をコア保持部３１の開口３２内に圧入固定する。また、ケース部材３０の下側から、第２コア２０の第２軸部２１を第１コイル６１の巻回部６３に差し込むとともに、他方の第２軸部２２を第２コイル６２の巻回部６３に差し込む。そして、第１軸部１１の先端面１３と第２軸部２１の先端面２３とを接着剤により相互に固定するとともに、第１軸部１２の先端面１４と第２軸部２２の先端面２４とを接着剤により相互に固定する。
こうして、コイル部品１００が得られる。
なお、コイル部品１００は、図示しないモールド樹脂を備えていてもよい。
【００４９】
＜変形例＞
次に、図１０（ａ）から図１１（ｂ）を用いて、変形例に係るコイル部品１００について説明する。本変形例に係るコイル部品１００は、以下に説明する点で、上記の実施形態に係るコイル部品１００と相違しており、その他の点では、上記の実施形態に係るコイル部品１００と同様に構成されている。
図１０（ａ）及び図１１（ａ）に示すように、本変形例の場合、ケース部材３０の開口３２の内周面には、４隅の突起部３３の他に、一対の突起部９１（凸部）が形成されている。すなわち、ケース部材３０は、一対の突起部９１を有する。これら突起部９１は、Ｙ方向において、開口３２の中央部に配置されている。一方の突起部９１は、開口３２の内周面からＸ方向における一方向に突出しており、他方の突起部９１は、開口３２の内周面からＸ方向における反対方向に突出している。
突起部９１は、平面形状が略三角形状となっており、突起部９１の突出方向における先端側（開口３２の内方側）に向けて徐々に幅狭となっている。突起部９１の頂部（突起部９１の突出方向における先端部分）は、丸みを帯びた形状となっている。
突起部９１の上面は、例えば、平坦な水平面となっており、ケース部材３０の上面３７と面一となっている。突起部９１は、仕切壁部３４の上面の上に配置されている。突起部９１の下端は、仕切壁部３４の上面に達している。
第１コア１０の第１連結部１５の外周面１８（側周面）には、各突起部９１と対応する一対の凹部１９が形成されている。凹部１９は、各突起部９１と対応する位置に配置されている。
各凹部１９は、各突起部９１と対応する形状となっており、第１連結部１５の上端から下端に亘って形成されている。すなわち、各凹部１９は、平面形状が略三角形状となっており、深さ方向に向けて徐々に幅狭となっており、最奥部が丸みを帯びた形状となっている。
そして、図１０（ａ）に示すように、第１コア１０の第１連結部１５がケース部材３０のコア保持部３１に保持された状態において、一方の突起部９１が一方の凹部１９に入り込んでいるとともに、他方の突起部９１が他方の凹部１９に入り込んでいる。つまり、突起部９１と凹部１９とが嵌合している。これにより、ケース部材３０に対する第１コア１０の位置ずれを抑制することができる。
【００５０】
図１０（ｂ）及び図１１（ｂ）に示すように、一方の外壁部４０の第１対向面４１と、他方の外壁部５０の第２対向面５１には、それぞれ突起部９２（凸部）が形成されている。すなわち、ケース部材３０は、一対の突起部９２を有する。
一方の突起部９２は、Ｙ方向における第１対向面４１の中央部から、Ｘ方向における一方向（第２対向面５１側）に突出している。他方の突起部９２は、Ｙ方向における第２対向面５１の中央部から、Ｘ方向における反対方向（第１対向面４１側）に突出している。
突起部９２の形状は、突起部９１の形状と同様である。すなわち、突起部９２は、平面形状が略三角形状となっており、突起部９２の突出方向における先端側に向けて徐々に幅狭となっている。突起部９２の頂部（突起部９２の突出方向における先端部分）は、丸みを帯びた形状となっている。
突起部９２の下面は、例えば、平坦な水平面となっている。一方の突起部９２の下面は、外壁部４０の下面４３と略面一となっており、他方の突起部９２の下面は、外壁部５０の下面５３と略面一となっている。各突起部９２は、仕切壁部３４の上面の下に配置されている。突起部９２の上端は、仕切壁部３４の下面に達している。
第２コア２０の第２連結部２５の外周面２８（側周面）には、各突起部９２と対応する一対の凹部２９が形成されている。凹部２９は、各突起部９２と対応する位置に配置されている。
凹部２９の形状は、凹部１９の形状と同様である。すなわち、各凹部２９は、各突起部９２と対応する形状となっており、第２連結部２５の上端から下端に亘って形成されている。すなわち、各凹部２９は、平面形状が略三角形状となっており、深さ方向に向けて徐々に幅狭となっており、最奥部が丸みを帯びた形状となっている。
そして、第２コア２０が第１コア１０に対して固定された状態では、図１０（ｂ）に示すように、一方の突起部９２が一方の凹部２９に入り込んでいるとともに、他方の突起部９２が他方の凹部２９に入り込んでいる。つまり、突起部９２と凹部２９とが嵌合している。これにより、ケース部材３０に対する第２コア２０の位置ずれを抑制することができる。
【００５１】
なお、本変形例では、第１連結部１５及び第２連結部２５にはそれぞれ凹部１９、凹部２９が形成されており、ケース部材３０には凹部１９、凹部２９と嵌合する突起部９１、９２が形成されている例を説明したが、本発明は、この例に限らず、ケース部材３０に形成されている凹部と第１連結部１５及び第２連結部２５に形成されている凸部とが嵌合していてもよい。
このように、コイル部品１００としては、第１対向部（第１連結部１５）に形成されている凹部又は凸部と、ケース部材３０に形成されている凸部又は凹部と、が嵌合しているとともに、第２対向部（第２連結部２５）に形成されている凹部又は凸部と、ケース部材３０に形成されている凸部又は凹部と、が嵌合している構造のものを採用することができる。
【００５２】
以上、図面を参照して実施形態及び変形例を説明したが、これらは本発明の例示であり、上記以外の様々な構成を採用することもできる。
例えば、上記においては、第１コア１０及び第２コア２０がそれぞれＵコアである例を説明したが、第１コア１０と第２コア２０とのうちの一方（例えば第２コア２０）が板状などのＩコアであってもよい。この場合、第１コア１０の第１軸部１１により一方の軸部が構成され、第１コア１０の第１軸部１２により他方の軸部が構成される。また、第２コア２０は、軸部を構成しない。
【００５３】
本実施形態は以下の技術思想を包含する。
＜１＞互いに並列に配置されている一対の軸部と、前記一対の軸部の一端部どうしの間に亘って配置されている第１対向部と、前記一対の軸部の他端部どうしの間に亘って配置されている第２対向部と、を有するコア部と、
絶縁材料により構成されていて前記コア部を支持しているケース部材と、
前記一対の軸部に巻回されているコイルと、
前記コイルと電気的に接続されている金属端子部材と、
を備え、
前記第１対向部と前記第２対向部とは、前記一対の軸部を間に挟んで互いに対向して配置されており、
前記ケース部材は、
前記コア部を収容している収容部と、
前記コア部を間に挟んで互いに対向して配置されているとともにそれぞれ上下方向に起立している一対の外壁部と、
を有し、
前記一対の外壁部の各々に前記金属端子部材が設けられているコイル部品。
＜２＞前記一対の外壁部のうち一方の外壁部は、他方の外壁部の方を向いている第１対向面を有し、
前記他方の外壁部は、前記一方の外壁部の方を向いている第２対向面を有し、
前記一方の外壁部に設けられている前記金属端子部材の全体が、前記第１対向面よりも、前記他方の外壁部から離れた位置に配置されており、
前記他方の外壁部に設けられている前記金属端子部材の全体が、前記第２対向面よりも、前記一方の外壁部から離れた位置に配置されている＜１＞に記載のコイル部品。
＜３＞前記コイルの一端部が、前記一対の外壁部のうち一方の外壁部に設けられた前記金属端子部材によって保持されており、
前記コイルの他端部が、前記一対の外壁部のうち他方の外壁部に設けられた前記金属端子部材によって保持されている＜１＞又は＜２＞に記載のコイル部品。
＜４＞前記コイルは、前記コア部に対して非接触状態となっている＜１＞から＜３＞のいずれか一項に記載のコイル部品。
＜５＞前記コイルは、前記ケース部材に対して非接触状態となっている＜１＞から＜４＞のいずれか一項に記載のコイル部品。
＜６＞前記金属端子部材は、
前記外壁部に差し込み固定されている差込部と、
前記コイルの端部を導通状態で保持しているコイル端保持部と、
前記外壁部の下面に配置されている端子部と、
を有する＜１＞から＜５＞のいずれか一項に記載のコイル部品。
＜７＞前記外壁部の前記下面には、当該外壁部の上面側に向けて窪んだ下面側凹部が形成されており、
前記下面側凹部に前記コイル端保持部が配置されている＜６＞に記載のコイル部品。
＜８＞前記外壁部は、一対の下面側凹部と、これら下面側凹部どうしの間に配置されているとともに前記端子部が配置されている端子配置部と、を有し、
一方の前記軸部の配置領域と、他方の前記軸部の配置領域と、の並び方向に対して平行な方向において、前記一対の下面側凹部のうちの一方の下面側凹部と、前記端子配置部と、前記一対の下面側凹部のうちの他方の下面側凹部と、がこの順に並んで配置されている＜７＞に記載のコイル部品。
＜９＞前記ケース部材は、前記第１対向部を保持するコア保持部を有し、
前記一対の外壁部の各々は、前記コア保持部から下方に突出している＜１＞から＜８＞のいずれか一項に記載のコイル部品。
＜１０＞前記コア保持部に対して前記第１対向部が圧入固定されている＜９＞に記載のコイル部品。
＜１１＞当該コイル部品は、前記コイルとして、一方の前記軸部に巻回されている第１コイルと、他方の前記軸部に巻回されている第２コイルと、を備えており、
前記ケース部材は、前記一方の軸部及び前記第１コイルの配置領域と、前記他方の軸部及び前記第２コイルの配置領域と、を相互に仕切る仕切壁部を更に有する＜１＞から＜１０＞のいずれか一項に記載のコイル部品。
＜１２＞前記第１対向部に形成されている凹部又は凸部と、前記ケース部材に形成されている凸部又は凹部と、が嵌合しているとともに、
前記第２対向部に形成されている凹部又は凸部と、前記ケース部材に形成されている凸部又は凹部と、が嵌合している＜１＞から＜１１＞のいずれか一項に記載のコイル部品。
＜１３＞前記コア部は、
互いに並列に配置されている一対の第１軸部と、前記第１対向部と、を有する第１コアと、
互いに並列に配置されている一対の第２軸部と、前記第２対向部と、を有する第２コアと、
を含み、
前記第１対向部は、前記一対の第１軸部どうしを連結しており、
前記第２対向部は、前記一対の第２軸部どうしを連結しており、
前記一対の第１軸部のうち一方の第１軸部と、前記一対の第２軸部のうち一方の第２軸部と、が互いに同軸に配置されて、一方の前記軸部を構成しており、
前記一対の第１軸部のうち他方の第１軸部と、前記一対の第２軸部のうち他方の第２軸部と、が互いに同軸に配置されて、他方の前記軸部を構成している＜１＞から＜１２＞のいずれか一項に記載のコイル部品。
【００５４】
更に、本実施形態は以下の技術思想を包含する。
（１）互いに並列に配置されている一対の第１軸部と、前記一対の第１軸部どうしを連結している第１連結部と、を有する第１コアと、
互いに並列に配置されている一対の第２軸部と、前記一対の第２軸部どうしを連結している第２連結部と、を有する第２コアと、
絶縁材料により構成されていて前記第１コアと前記第２コアとを支持しているケース部材と、
前記第１軸部と前記第２軸部とに巻回されているコイルと、
前記コイルと電気的に接続されている金属端子部材と、
を備え、
前記第１連結部と前記第２連結部とは、前記一対の第１軸部と前記一対の第２軸部とを間に挟んで互いに対向して配置されており、
前記一対の第１軸部のうち一方の第１軸部と、前記一対の第２軸部のうち一方の第２軸部と、が互いに同軸に配置されており、
前記一対の第１軸部のうち他方の第１軸部と、前記一対の第２軸部のうち他方の第２軸部と、が互いに同軸に配置されており、
前記ケース部材は、
前記第１コアと前記第２コアとを収容している収容部と、
前記第１コア及び前記第２コアを間に挟んで互いに対向して配置されているとともにそれぞれ上下方向に起立している一対の外壁部と、
を有し、
前記一対の外壁部の各々に前記金属端子部材が設けられているコイル部品。
（２）前記一対の外壁部のうち一方の外壁部は、他方の外壁部の方を向いている第１対向面を有し、
前記他方の外壁部は、前記一方の外壁部の方を向いている第２対向面を有し、
前記一方の外壁部に設けられている前記金属端子部材の全体が、前記第１対向面よりも、前記他方の外壁部から離れた位置に配置されており、
前記他方の外壁部に設けられている前記金属端子部材の全体が、前記第２対向面よりも、前記一方の外壁部から離れた位置に配置されている（１）に記載のコイル部品。
（３）前記コイルの一端部が、前記一対の外壁部のうち一方の外壁部に設けられた前記金属端子部材によって保持されており、
前記コイルの他端部が、前記一対の外壁部のうち他方の外壁部に設けられた前記金属端子部材によって保持されている（１）又は（２）に記載のコイル部品。
（４）前記コイルは、前記第１コア及び前記第２コアのいずれに対しても非接触状態となっている（１）から（３）のいずれか一項に記載のコイル部品。
（５）前記コイルは、前記ケース部材に対して非接触状態となっている（１）から（４）のいずれか一項に記載のコイル部品。
（６）前記金属端子部材は、
前記外壁部に差し込み固定されている差込部と、
前記コイルの端部を導通状態で保持しているコイル端保持部と、
前記外壁部の下面に配置されている端子部と、
を有する（１）から（５）のいずれか一項に記載のコイル部品。
（７）前記外壁部の前記下面には、当該外壁部の上面側に向けて窪んだ下面側凹部が形成されており、
前記下面側凹部に前記コイル端保持部が配置されている（６）に記載のコイル部品。
（８）前記外壁部は、一対の下面側凹部と、これら下面側凹部どうしの間に配置されているとともに前記端子部が配置されている端子配置部と、を有し、
前記一方の第１軸部及び前記一方の第２軸部の配置領域と、前記他方の第１軸部及び前記他方の第２軸部の配置領域と、の並び方向に対して平行な方向において、前記一対の下面側凹部のうちの一方の下面側凹部と、前記端子配置部と、前記一対の下面側凹部のうちの他方の下面側凹部と、がこの順に並んで配置されている（７）に記載のコイル部品。
（９）前記ケース部材は、前記第１コアの前記第１連結部を保持するコア保持部を有し、
前記一対の外壁部の各々は、前記コア保持部から下方に突出している（１）から（８）のいずれか一項に記載のコイル部品。
（１０）前記コア保持部に対して前記第１連結部が圧入固定されている（９）に記載のコイル部品。
（１１）当該コイル部品は、前記コイルとして、前記一方の第１軸部と前記一方の第２軸部とに巻回されている第１コイルと、前記他方の第１軸部と前記他方の第２軸部とに巻回されている第２コイルと、を備えており、
前記ケース部材は、前記一方の第１軸部、前記一方の第２軸部及び前記第１コイルの配置領域と、前記他方の第１軸部、前記他方の第２軸部及び前記第２コイルの配置領域と、を相互に仕切る仕切壁部を更に有する（１）から（１０）のいずれか一項に記載のコイル部品。
【符号の説明】
【００５５】
１０  第１コア
１１  第１軸部（一方の第１軸部）
１２  第１軸部（他方の第１軸部）
１３、１４、２３、２４  先端面
１５  第１連結部
１６、２６  一方の面
１７、２７  他方の面
１８  外周面
１９  凹部
２０  第２コア
２１  第２軸部（一方の第２軸部）
２２  第２軸部（他方の第２軸部）
２５  第２連結部
２８  外周面
２９  凹部
３０  ケース部材
３１  コア保持部
３２  開口
３３  突起部
３４  仕切壁部
３５  凹曲面
３６  収容部
３７  上面
３８  前面
３９  背面
４０  外壁部（一方の外壁部）
４１  第１対向面
４２  第１外側面
４３、５３  下面
４４、５４  下面側凹部
４５、５５、  端子配置部
４６、５６  仕切段部
４７、５７  凹部
４８、５８  傾斜面
４９、５９  差込孔
５０  外壁部（他方の外壁部）
５１  第２対向面
５２  第２外側面
６０  コイル
６１  第１コイル
６２  第２コイル
６３  巻回部
６４  一端部
６５  他端部
７０、７１、７２、７３、７４  金属端子部材
７５  差込部
７６  コイル端保持部
７７  端子部
７８  対向部
８１  間隙
９１、９２  突起部
１００  コイル部品
【図１】
2020102610.tif 000003
【図２】
2020102610.tif 000004
【図３】
2020102610.tif 000005
【図４】
2020102610.tif 000006
【図５】
2020102610.tif 000007
【図６】
2020102610.tif 000008
【図７】
2020102610.tif 000009
【図８】
2020102610.tif 000010
【図９】
2020102610.tif 000011
【図１０】
2020102610.tif 000012
【図１１】
2020102610.tif 000013